(57)【要約】【課題】効率的な養殖用水の浄化剤、その製造方法、及び該浄化剤を用いた養殖用水の浄化方法を提供すること。【解決手段】貝化石に対して、腐植物質を含有する水溶液を８〜１２％の容量比で混合し、混合された結果物を乾燥することで養殖用水の浄化剤を製造する。養殖用水の浄化剤は、貝化石に対して容量比５ｐｐｍ〜１５ｐｐｍの腐植物質を含有する。養殖用水の浄化剤を、養殖池の底土面積１ｍ２に対し５００〜２０００ｇの割合で、養殖用水に含有させることで、従来方法よりも少量の貝化石及び腐植物質によって、より効率的な浄化を行うことができる。【選択図】図１
2017063615.tif 000002
【特許請求の範囲】
【請求項１】
貝化石に、該貝化石に対して５〜１５％の容量の腐植物質水溶液を混合することと、
前記混合された結果物を乾燥することと、
を含み、
前記腐植物質水溶液は５ｐｐｍ〜１５ｐｐｍの濃度で腐植物質を含有することを特徴とする、養殖用水の浄化剤の製造方法。
【請求項２】
前記混合することでは、前記水溶液を前記貝化石の表面に噴霧することにより、前記水溶液を前記貝化石に混合することを特徴とする、請求項１に記載の養殖用水の浄化剤の製造方法。
【請求項３】
前記混合することでは、前記貝化石を粉砕して前記水溶液を混合することを特徴とする、請求項１又は２に記載の養殖用水の浄化剤の製造方法。
【請求項４】
貝化石の粉体と、該貝化石に対して容量比０．５ｐｐｍ〜１．５ｐｐｍの腐植物質とを含有することを特徴とする、養殖用水の浄化剤。
【請求項５】
請求項４に記載の養殖用水の浄化剤を、養殖池の底土面積１ｍ２に対し５００〜２０００ｇの割合で、散布することを特徴とする、養殖用水の浄化方法。
【発明の詳細な説明】
【技術分野】
【０００１】
本発明は、養殖用水の浄化剤、その製造方法、及び該浄化剤を用いた養殖用水の浄化方法に関する。
【背景技術】
【０００２】
魚類及び甲殻類の養殖用水の水質管理において、貝化石及び腐植物質が利用されている（例えば、特許文献１及び２参照）。貝化石は、炭酸カルシウムを主成分とするミネラル及び微量元素を含む多孔質構造（ポーラス構造）の鉱物である。貝化石は、徐々に水中に溶出するとともに多孔質により有機物を吸着するため、浄水するだけでなく水質を長期間安定化するのに好適である。腐植物質は、フミン酸及びフルボ酸を含み、養殖用水中の環境微生物（すなわち、バクテリア）を活性し、魚及び甲殻類の養殖にとって健全な環境を作るのに好適である。
【０００３】
貝化石及び腐植物質は、それぞれ、独立に使用されるのが通常である。しかし、特に腐植物質は、その水溶液を用水に散布して使用するため、用水中の分布を把握することが難しく、過量に使用される傾向がある。
【先行技術文献】
【特許文献】
【０００４】
【特許文献１】特開２００７−２１６２０１号公報
【特許文献２】特開平１０−２７７５８６号公報
【発明の概要】
【発明が解決しようとする課題】
【０００５】
本発明は、効率的な養殖用水の浄化剤、その製造方法、及び該浄化剤を用いた養殖用水の浄化方法を提供することを課題とする。
【課題を解決するための手段】
【０００６】
本発明の養殖用水の浄化剤の製造方法は、
貝化石に、該貝化石に対して５〜１５％の容量の腐植物質水溶液を混合することと、
前記混合された結果物を乾燥することと、
を含み、
前記腐植物質水溶液は５ｐｐｍ〜１５ｐｐｍの濃度で腐植物質を含有することを特徴とする。
【０００７】
この特徴によれば、貝化石と腐植物質の両方の機能を有する養殖用水の浄化剤を製造することができる。貝化石に対して少量の腐植物質を含有することで、腐植物質がポーラス構造の貝化石によって担持される。
【０００８】
本発明の養殖用水の浄化剤の製造方法は、
前記混合することでは、前記水溶液を前記貝化石の表面に噴霧することにより、前記水溶液を前記貝化石に混合することを特徴とする。
【０００９】
この特徴によれば、水溶液を貝化石の表面に噴霧することで、水溶液を貝化石に均一に混合することができる。
【００１０】
本発明の養殖用水の浄化剤の製造方法は、
前記混合することでは、前記貝化石を粉砕して前記水溶液を混合することを特徴とする。
【００１１】
この特徴によれば、貝化石を粉砕して水溶液を混合することで、水溶液に触れる貝化石の表面積を大きくすることができる。
【００１２】
本発明の養殖用水の浄化剤は、
貝化石の粉体と、該貝化石に対して容量比０．５ｐｐｍ〜１．５ｐｐｍの腐植物質とを含有することを特徴とする。
【００１３】
この特徴によれば、貝化石に対して少量の腐植物質が含まれていることで、腐植物質がポーラス構造の貝化石によって担持される。また、ポーラス部分に腐植物質が局在することで、腐植物質の効果が十分に発揮される。
【００１４】
本発明の養殖用水の浄化方法は、
上記の養殖用水の浄化剤を、養殖池の底土面積１ｍ２に対し５００〜２０００ｇの割合で、散布することを特徴とする。
【００１５】
この特徴によれば、貝化石のみを散布する従来方法に比して、小量の貝化石によって浄化することができる。
【発明の効果】
【００１６】
本発明の養殖用水の浄化剤の製造方法によれば、養殖用水を浄化するとともに環境微生物を活性化する養殖用水の浄化剤を提供することが可能となる。
【図面の簡単な説明】
【００１７】
【図１】図１は、養殖用水の浄化剤の製造手順を示すフローチャートである。
【発明を実施するための形態】
【００１８】
本発明の一実施形態について説明する。
【００１９】
本実施形態に係る養殖用水の浄化剤（単に浄化剤と呼ぶ）は、貝化石の粉体に対して容量比０．５〜１．５ｐｐｍの腐植物質を含有する。貝化石として、天然貝化石を採用することができる。腐植物質として、土壌堆積物から抽出されるものに限らず、人工的に自然物を発酵させて製造されるものを採用することもできる。粉体状の浄化剤を用水中に散布することで、腐植物質を用水中に分布させることができる。
【００２０】
ここで、貝化石によって腐植物質が担持されるため、貝化石の箇所に腐植物質が局在し、微生物が活性化される。また、固体である貝化石を養殖用水に均一に混合することで、腐植物質の平均濃度も養殖用水中で均一化される。
【００２１】
貝化石の成分とともに適量の腐植物質が用水に徐々に溶解することで、用水が浄化されるとともに環境微生物を活性化することができる。
【００２２】
図１に、本実施形態に係る浄化剤の製造手順を示す。
【００２３】
ステップＳ１では、腐植物質の水溶液を作成する。ここで、腐植物質は、例えば、約９９％が水分の状態で保存されている。その腐植物質に、水を加えて１０００倍希釈する。この結果、水溶液中の腐植物質濃度は１０ｐｐｍとなる。保存時の水分含有率及び希釈倍率によって水溶液中の腐植物質濃度が変化するが、５ｐｐｍ〜１５ｐｐｍとすることが好ましい。
【００２４】
ステップＳ２では、貝化石に腐植物質を有する水溶液を混合する。ここで、水溶液の量は、貝化石に対して容量比１０％とする。容量比は、５〜１５％とすることが好ましい。ここで、手作業により又はミキサを用いて貝化石を粉砕し、０．４〜５．０ｍｍ程度の外径とする。その貝化石の表面に水溶液を噴霧する。それにより、水溶液を貝化石の粉体に均一に混合することができる。
【００２５】
ステップ３では、水溶液を混合した貝化石を乾燥する。それにより、粉体状の浄化剤が得られる。乾燥によって水分が蒸発し、貝化石に対して容量比１ｐｐｍの腐植物質を含む養殖用水の浄化剤が生成される。ここで、腐植物質の容量比は、水溶液の腐植物質濃度及び貝化石と水溶液の混合比率によって変動し得るが、０．５〜１．５ｐｐｍとすることが好ましい。
【００２６】
以下、浄化剤の使用例を説明する。
【００２７】
鰻養殖池において、養殖された成鰻の出荷後シラス（稚魚）の池入れまでの間に、上記の方法で生成した貝化石に対して容量比１ｐｐｍの腐植物質を含む養殖用水の浄化剤を、池の底土面積１ｍ２につき７５０ｇを散布した。
【００２８】
散布直後及びその後シラスの池入れまでの間、およそ１０日に1回、底土の表面およそ１５ｃｍを耕運機で撹拌した。
【００２９】
この結果、シラスの池入れ後において、ヘドロの滞留が抑制されて水の透明度が高まり、硫化水素の発生が減少した。餌の投入量を多くしても、養殖水のｐＨは６〜７で安定した。この結果、鰻の死亡率が低下した。
【００３０】
貝化石のみを用いる従来の浄化においては、池の底土面積１ｍ２につき２０００〜３０００ｇの貝化石を用いていた。貝化石の使用量を従来比で２分の１以下とすることができ、同等以上の浄化効果をえることができた。なお、散布量としては、底土面積１ｍ２につき５００〜１０００ｇが適当である。
【００３１】
以上詳細に説明したように、本実施形態の養殖用水の浄化剤は、貝化石に腐植物質が担持され、貝化石と腐植物質とのそれぞれの効果が相乗することで、効率良く（すなわち、少ない量で）用水を浄化することが可能となる。
【００３２】
また、本実施形態の養殖用水の浄化剤の製造方法は、貝化石に対して腐植物質を均一に含有する養殖用水の浄化剤を、効果的かつ確実に製造することができる。
【００３３】
更に、本実施形態の養殖用水の浄化方法は、従来方法よりも少量の貝化石及び腐植物質によって、より効率的な浄化を行うことができる。
【産業上の利用可能性】
【００３４】
効率的な養殖用水の浄化剤、その製造方法、及び該浄化剤を用いた養殖用水の浄化方法である。多くの養殖業者による利用が考えられる。
【図１】
2017063615.tif 000003